(57)【要約】【課題】侵入防止機構を備えた室内用ブラインドを安価に供給することを課題とする。【解決手段】スラット・ボトムレールを主要な構成要素とする室内用ブラインドに、一対のガイドレールを設けて、スラットおよびボトムレールをブラインド面に向かって前後、左右にブラインドを動かしにくく、かつブラインドの左右端から侵入しにくくした。また、ブラインドの上下移動を制限する機構にボトムレールを緊縛・固定する機構を用いず、替わりにボトムレールが一定量以上には移動しない移動阻止機構を該ガイドレール端に設けて、ボトムレールが容易には上下に移動できないようにした。【選択図】    図１
2005113433.tif 000002
【特許請求の範囲】
【請求項１】
スラット・ボトムレールを主要な構成要素とする室内用ブラインドにおいて、一対のガイドレールを設けかつ該ガイドレール端にボトムレールの移動阻止手段を設けたこと、を特徴とする室内用ブラインド。
【請求項２】
請求項１記載のボトムレールの移動阻止手段として、めねじを有するソケットをガイドレールの端部に設け、該ソケットにピン結合された複数部材からなる移動阻止部材を押し込み螺合する機構を用いたこと、を特徴とする請求項１記載の室内用ブラインド。
【発明の詳細な説明】
【技術分野】
【０００１】
本願発明は、侵入防止機構を備えた室内用ブラインドに関する。
【背景技術】
【０００２】
室内用ブラインドは、入射光をコントロールできかつ通風をさえぎることがない唯一つの窓周りの装飾品である。また、室内用ブラインドには、他人の盗視を阻止するという効果もある。
この特徴を活かすため、室内用ブラインドは、ラダーコードで連結された多数のスラットと最下部のボトムレールをヘッドボックスから吊り下げる構造となっており、この簡易な構造に起因して、スラット・ボトムフレーム（以下適宜単に「ブラインド」という。）をブラインド面に向かって前後、左右、上下に極めて動かし易い構造となっている。
【０００３】
従って、上記構造に起因して、ブラインドを利用する居住者が容易にスラット・ボトムフレームを動かすことができるのみならず、侵入者も容易に動かすことができることになり、通風のため窓を開けてブラインドを降ろしてブラインドの効果を発揮させている場合は、侵入者に対しては全く無防備の状態にあることになる。
【０００４】
一方、アパートメント等においてベランダからの侵入者による被害が多発する昨今、侵入者を阻止しうる防犯機構を備えた室内用ブラインドが求められている。
【０００５】
一般に、防犯対策としては、侵入者の侵入しようとする初期行為の数分間を阻止できれば、侵入者を撃退し得る効果が極めて高くなることが知られている。
まして、本願発明の対象とする室内用ブラインドは、居住者が室内に居ることを前提として使用されるのが通常のものであるから、室内用ブラインドを侵入者が外側から動かしにくくするか、あるいは侵入者が外側から動かそうとするに際して大きな音を発するようにする等の対策を講じて、侵入者の侵入を数分間阻止できれば、防犯効果の大方は達成されるものである。
【０００６】
しかるに、ブラインドを前後、左右、上下に動かしにくい構造とするには、ブラインドの構造に起因して困難な点が多々存在している。例えば、ブラインドを上下方向に動かしにくくする方法を考えた場合、ボトムレールを何等かの方法で緊縛・固定する方法が考えられる。
ところで、室内用ブラインドのスラットは、遮光性を確保するため一定の幅を有しかつ任意の角度に傾くように構成されていることから、スラットとスラットの間隔・スラットとボトムレールの間隔は所定の間隔になるように構成され、ボトムレールの上下方向の位置は、段階的な数値に抑えられ、連続的な数値にはならない。
従って、ボトムレールを何等かの方法で緊縛・固定する方法は、ボトムレールの位置が一定であることを条件とすることから、該方法は汎用性・実用性が極めて少ないことになる。
このような理由もあって、ボトムレールの移動を阻止して、侵入者の侵入を阻止・撃退する室内用ブラインドは実用に供されていなかった。
【非特許文献１】存在しないと思われます。
【特許文献１】特許電子図書館の公報テキスト検索（公開特許公報）で、以下の条件で検索したが、該当すると思料できるものはありません。                                                  「要約＋請求の範囲」    「ブラインド」                              ＡＮＤ  「要約＋請求の範囲」    「防犯」                                    ＡＮＤ  「ＩＰＣ」              「E06B?」                                  発見された件数は、１０件
【発明の開示】
【発明が解決しようとする課題】
【０００７】
本願発明は、上記のような事情のもとで考えだされたもので、ブラインドを外側から動かしにくくし、かつ侵入者が外側から強引に動かそうとする場合には、きしみ音・破壊音等が発生して室内居住者・近隣者に注意を喚起できる、侵入防止機構を備えた室内用ブラインドを安価に供給することを課題とする。
【課題を解決するための手段】
【０００８】
そこで、本願発明は、スラット・ボトムレールを主要な構成要素とする室内用ブラインドに、一対のガイドレールを設けて、スラットおよびボトムレールをブラインド面に向かって前後、左右に動かしにくくしかつスラットの左右端から侵入しにくくするとともに、該ガイドレール端にボトムレールの移動阻止手段を設けて、ボトムレールが容易には上下に移動できないようにした。
【０００９】
また、移動阻止手段として、めねじを有するソケットをガイドレールの端部に設け、該ソケットにピン結合された複数部材からなる移動阻止部材を押し込み螺合する機構を用いた。
【発明の効果】
【００１０】
本願発明は、従来の室内用ブラインドに、一対のガイドレールを設けかつ該ガイドレール端にボトムレールの移動阻止手段を設けたものであって、従来の室内用ブラインドをそのまま組み込むことができることから、製造コストの上昇を少なくすることができる。
【００１１】
侵入者の侵入を阻止・撃退するには、ブラインドを前後、左右、上下に動かしにくい構造とする必要があるが、本願発明では、一対のガイドレールを設けることによりブラインドが前後左右に動かしにくくするとともに上下に移動しないようにガイドレール端に移動阻止手段を設けてボトムレールが移動しないようにした。
これにより、侵入者の侵入を相当の分秒間阻止でき、侵入者の侵入意欲を阻害・断念させることが可能になり、防犯効果を高めることが可能になる。
さらに、移動阻止手段として、ピン結合された複数部材からなる移動阻止部材を使用したことから、移動阻止部材が螺合・固定されるにも拘わらず、強引に動かそうとすると、ピン結合に起因するがたつきおよび棒状部材とボトムレール間の間隙により大きな警告音を発することから、一層の防犯効果が期待できる。
【００１２】
ボトムレールの移動阻止手段として、ピン結合された複数部材からなる移動阻止部材を使用したことから、室内への出っ張りが少なくなり、実用性が一段と高められた。
【００１３】
また、本願発明では、ボトムレールを動かなくする方法として、緊縛・固定する方法を採用せず、一定量の移動を許容しつつもそれ以上の移動を阻止する方法を採用したことから、汎用性・実用性が極めて高いものになった。
【発明を実施するための最良の形態】
【００１４】
室内用ブラインドの一隅の構造を、図１に示す。
一般に、室内用ブラインドは、多数のスラット１２と最下部に設けられるボトムレール１４をラダーコード１６・１７で連結し、ヘッドボックス（図示省略）から吊り下げる構造となっている。ラダーコードは数条設けられ、一条のラダーコードはスラットとボトムレールの外縁端どうしを連結する外縁部ラダーコード１６と内縁端どうしを連結する内縁部ラダーコード１７からなり、両ラダーコード相互間の上下位置を調整することにより、スラットの傾き即ち光の入射をコントロールするようになっている。
【００１５】
本願発明では、先ず、一対のガイドレール２２を設けて、スラットおよびボトムレールが前後左右に移動しにくくして、侵入者の侵入を阻止する。
また、スラット両端部のラダーコードとガイドレールの間隔は、侵入者に容易に侵入口を作らせないように、スラットの剛性等を考慮して決定される。
なお、ガイドレールの寸法は、ブラインドの縦横の大きさやスラットの幅を考慮して決定されるが、一般には、長さは900ｍｍ〜2000ｍｍ程度、断面はコの字型をしていて奥行（コの字の縦線部分）は35ｍｍ〜45ｍｍ程度、幅（コの字の上および下の水平部分）は30ｍｍ〜35ｍｍ程度である。
【００１６】
さらに、侵入者の侵入口が容易にできないようにするには、スラット・ボトムレールが上下に移動しないようにする必要があるが、このための機構としてガイドレール２２の端部にボトムレール１４が容易に移動しないようにする機構を設けた。
その機構の一例を図２・図３に示す。図２は、該機構が作動している状態を示し、図３は、作動解除の状態を示す。
ガイドレールの端部に、５山程度のめねじ３３を有するソケット３２を溶接等で固着し、該ソケットに、移動阻止部材３４がねじこまれる構造となっている（図２）。移動阻止部材は、３山程度のおねじ３６を有する有頭部材３５と棒状部材３７とからなり、両部材はピン結合３８により一方向に自在に折れ曲がるように構成されている。
また、移動阻止部材は、ソケットから脱落しないように、棒状部材の一端が有頭状に加工されている（図３）。即ち、移動阻止機構を作動させるには、有頭部材を垂れ下がりの状態から水平状態にし、ソケットの軸にそって押し込み、有頭部分を回転させてねじこめば良い。
なお、有頭部分の外周には、回転し易いように溝加工やローレット加工が施されている。
【００１７】
他の例を、図４に示す。
３つのピン結合を有する部材を主要な構成要素とし、滑動部材４２を押し下げるとピン結合部分が折れ曲がりガイドレール内側に凸起状の物となってボトムレールの移動を阻止する型式のものである。
なお、施錠時に作動する施錠機構として、簡易なものとしては図示のごときストッパー４４が採用される。
【００１８】
さらなる例を、図５に示す。
上下自在に動くパンタグラフ式のものであって、ピン結合のピン５６はガイドレール２２に固定されていて、レバー式部材５２を押し上げるとパンタグラフが伸び、パンタグラフ端部５８はボトムレールを上方から抑えこむ型式のものである。
従って、この場合にはレバー式部材が上下するのに支障がないようにガイドレールにスリットを設ける必要がある。
なお、施錠時に作動する施錠機構として、簡易なものとしては、上記ガイドレールに設けたスリットに水平の切込み、すなわち逆Ｌ字型になるような形状のスリットと切込みを設けて、レバー式部材を押し上げた後水平に移動させ、該切込みに預けてレバー式部材の上下移動を阻止する型式のものが採用される。
【００１９】
なお、侵入者の侵入を困難にするため、必要に応じ、厚めのスラットを採用したりまた前縁・後縁を折り曲げたスラット１３（図１）を採用してスラット自体を屈曲しにくい構造としたり、ラダーコードに高強度の合成繊維製のもの、例ケブラー（登録商標）、を採用したり、金属細線を織り込んだものを使用することはもちろんである。
【産業上の利用可能性】
【００２０】
本願発明は、従来の室内用ブラインドに、一対のガイドレールを設けかつ該ガイドレール端にボトムレールの移動阻止機構を設けたものであって、従来の室内用ブラインドをそのまま組み込むことができることから、価格上昇を少なくした室内用ブラインドの提供が可能となり、産業上の利用可能性は極めて高いものである。
【００２１】
本願発明は、室内用ブラインドの特徴、即ち入射光をコントロールできかつ通風をさえぎることがないという特徴、を損なうことなく、防犯性を格段に高めたことから、適用しうる範囲が著しく拡大する。
【図面の簡単な説明】
【００２２】
【図１】室内用ブラインドの一隅の構造を示す斜視図である。
【図２】ガイドレール端に設けられたボトムレールの移動阻止機構（一例）の施錠時の断面図である。
【図３】ガイドレール端に設けられたボトムレールの移動阻止機構（一例）の解錠時の断面図である。
【図４】ガイドレール端に設けられたボトムレールの移動阻止機構（他例）の斜視図である。
【図５】ガイドレール端に設けられたボトムレールの移動阻止機構（他例、パンタグラフ式）の斜視図である。
【符号の説明】
【００２３】
１２      スラット
１３      スラット（前縁・後縁折り曲げスラット）
１４      ボトムレール
１６      外縁部ラダーコード
１７      内縁部ラダーコード
２２      ガイドレール
３２      ソケット
３３      めねじ
３４      移動阻止部材
３５      有頭部材
３６      おねじ
３７      棒状部材
３８      ピン結合
４２      滑動部材
４４      ストッパー
５２      レバー式部材
５６      ピン
５８      パンタグラフ端部
【図１】
2005113433.tif 000003
【図２】
2005113433.tif 000004
【図３】
2005113433.tif 000005
【図４】
2005113433.tif 000006
【図５】
2005113433.tif 000007